(57)【特許請求の範囲】
【請求項１】
表示板に形成された窓枠開口部に、窓枠部材が配置された表示板であって、
前記窓枠部材が、窓枠開口部内に窓枠部材を支持する角形状の窓枠挿着支持部を備え、
前記窓枠挿着支持部の裏側の１組の対向辺に、係止片が突設され、
窓枠開口部の裏面の周囲に係止用凹部または段部が形成され、
前記窓枠挿着支持部の裏側の前記１組の係止片が突設した対向辺とは異なる対向辺であって、前記窓枠開口部と接する部分に窓枠固定剤を塗設するための切欠部が形成され、
前記窓枠挿着支持部の係止片を折曲して、表示板の係止用凹部または段部に収容するとともに窓枠固定剤を塗設することによって、
前記窓枠部材を表示板の窓枠開口部に固定したことを特徴とする表示板。
【請求項２】
前記表示板の係止用凹部または段部の位置に対応して、表示板の窓枠開口部の内壁に膨出部収容用凹部が形成され、
前記窓枠挿着支持部の係止片を折曲して、表示板の係止用凹部または段部に収容した際に、窓枠挿着支持部、係止片の基端部の少なくともいずれかの膨出部分を収容するように構成されていることを特徴とする請求項１に記載の表示板。
【請求項３】
前記係止片が、窓枠挿着支持部の裏側の窓枠開口部と接する部分に形成されていることを特徴とする請求項１から２のいずれかに記載の表示板。
【請求項４】
前記係止片が、窓枠挿着支持部の裏側の窓枠開口部と接する部分より内側に形成されていることを特徴とする請求項３に記載の表示板。
【請求項５】
前記係止片の基端部の厚さが、係止片の係止部分の厚さより薄く形成されていることを特徴とする請求項１から４のいずれかに記載の表示板。
【請求項６】
前記係止片の基端部に溝が形成されていることを特徴とする請求項１から５のいずれかに記載の表示板。
【請求項７】
窓枠開口部に、窓枠部材が配置された表示板の製造方法であって、
前記窓枠開口部内に前記窓枠部材を支持する角形状の窓枠挿着支持部を形成する工程と、
前記窓枠挿着支持部の裏側の１組の対向辺に、係止片を突設形成する工程と、
前記窓枠挿着支持部の裏側の前記１組の係止片が突設した対向辺とは異なる対向辺であって、前記窓枠開口部と接する部分に窓枠固定剤を塗設するための切欠部を形成する工程と、
前記窓枠部材の窓枠挿着支持部を、表示板の窓枠開口部に挿通配置する工程と、
前記窓枠挿着支持部の係止片を折曲して、表示板の係止用凹部または段部に収容するとともに窓枠固定剤を塗設することによって、窓枠部材を表示板の窓枠開口部に固定する工程と、を備えることを特徴とする表示板の製造方法。
【請求項８】
前記表示板の係止用凹部または段部の位置に対応して、表示板の窓枠開口部の内壁に、膨出部収容用凹部を形成する工程と、
前記窓枠挿着支持部の係止片を折曲して、表示板の係止用凹部または段部に収容する際に、窓枠挿着支持部、係止片の基端部の少なくともいずれかの膨出部分を収容することによって、窓枠部材を表示板の窓枠開口部に固定する工程と、を備えることを特徴とする請求項７に記載の表示板の製造方法。
【発明の詳細な説明】
【技術分野】
【０００１】
本発明は、例えば、時計用の表示板、卓上計算機、自動車、飛行機の計器パネル、携帯電話などのモバイル機器などの機器類の表示板において、曜日や日付などの指標を表示するための窓枠開口部に配置される窓枠部材を備えた表示板、および表示板の製造方法、ならびにそのための固定治具に関する。
【背景技術】
【０００２】
近年、ソーラーセル機器、特に、時計においては、ソーラーセル（太陽電池）からなるソーラー発電装置を備え、このソーラー発電装置が発電した電力によって駆動されるソーラー時計が市場を大きく占めるようになっている。
【０００３】
このようなソーラー時計用の表示板（文字板）では、受光した光を透過させて、その下面側に配設したソーラー発電装置に発電機能を起こさせるように構成されている。
従って、ソーラー時計用の表示板は、少なくともソーラー発電装置の発電に寄与する波長域の外部の光を透過して、ソーラー発電装置に起電力を付与するため、ある程度の光の透過性が要求され、透光性である必要がある。
【０００４】
このため、ソーラー時計用の表示板を構成する基板は、例えば、合成樹脂、紙、布などの軟質材料や、ガラスなどのセラミックに代表される脆性材料によって、透明または半透明の部品として製造されている。
【０００５】
一方、このソーラー時計用の表示板には、例えば、曜日や日付などの指標を表示するカレンダー表示部を上部より視認できるように、窓枠開口部の外周を囲むように窓枠部材が配置されている。
【０００６】
この場合、窓枠部材は、表示板を観るユーザーに美観と高級感を与えるという理由から金属製であることが望まれており、このような金属製の窓枠部材を、軟質材料や脆性材料の表示板に確実に固定する手段が、従来より、種々提案されており、例えば、金属製の窓枠部材を、軟質材料や脆性材料の表示板に、圧入やカシメなどの方法で固定したり、接着剤を用いて接着固定することが行われている。
【０００７】
しかしながら、圧入やカシメなどの方法では、金属製の窓枠部材を表示板に強固に固定することができなかったため、例えば、大きな衝撃が表示板に負荷された場合に、窓枠部材が表示板から脱落してしまうおそれがあった。
【０００８】
また、なるべく脱落しないように、高圧力でカシメを行って、金属製の窓枠部材を表示板に固定しようとすると、窓枠部材および表示板に歪みやクラックが生じてしまい、表示板の美観が著しく損なわれてしまっていた。
【０００９】
このため、従来より、特許文献１（特開２００１−４２０５５号公報）では、図１７〜図１９に示したように、表示板１００を構成する軟質材料や脆性材料の基板１０２の窓枠開口部１０４の内壁１０６に、金属製の窓枠部材１０８が食い付き固定する構造が提案されている。
【００１０】
すなわち、窓枠部材１０８は、窓枠開口部１０４内に挿入される枠本体部１１０と、この枠本体部１１０の上方に連続する飾り縁１０１から成る。枠本体部１１０の外周には、外方に突設する突起部１１２が形成される。飾り縁１０１は、枠本体部１１０より平面方
向に沿ってフランジ状に延出し、窓枠開口部１０４を通過できない大きさに形成される。枠本体部１１０と飾り縁１０１は、共に上下方向に沿ってくり貫かれ、枠本体部１１０と飾り縁１０１を上下に貫通する貫通窓１０３が形成される。
【００１１】
窓枠部材１０８は、次のように、基板１０２に固定される。
窓枠部材１０８の枠本体部１１０が、基板１０２の窓枠開口部１０４内に挿入される。すると、枠本体部１１０の突起部１１２が、窓枠開口部１０４の内壁１０６に没入して（食い付いて）、枠本体部１１０が窓枠開口部１０４内に固定される。飾り縁１０１は、基板１０２の上面に接触して、基板１０２の上方に位置する。
【００１２】
時計を観る観察者は、窓枠部材１０８の貫通窓１０３を通して、例えば、基板１０２の下方に稼動するカレンダー表示部の日付や曜日を読みとる。ここで、観察者の目に触れる部分は、カレンダー表示部の日付や曜日を囲む飾り縁１０１の上面、および貫通窓１０３の内壁である。この場合、飾り縁１０１の上面、および貫通窓１０３の内壁が金属であるため、観察者に高級感のある美観が与えられる。
【００１３】
窓枠開口部１０４を貫通する枠本体部１１０の外周に、外方に突設する突起部１１２を形成して、この突起部１１２が窓枠開口部１０４の内壁１０６に没入して（食い付いて）、窓枠部材１０８が窓枠開口部１０４に固定されるように構成されている。
【特許文献１】特開２００１−４２０５５号公報
【発明の開示】
【発明が解決しようとする課題】
【００１４】
しかしながら、特許文献１の表示板１００では、基板１０２が軟質材料から成る場合、窓枠部材１０８の突起部１１２が、窓枠開口部１０４の内壁１０６に没入すると、窓枠開口部１０４の周囲に歪が生じて、窓枠開口部１０４の周囲が歪んだり、変色したり、はなはだしい場合には、塑性変形する場合もあり、その結果、表示板１００の美観が著しく損なわれることになっていた。
【００１５】
また、外部から表示板１００に対して、大きな衝撃力が負荷されると、基板１０２自体が弾性変形するため、窓枠部材１０８の突起部１１２が、窓枠開口部１０４の内壁１０６より抜け落ちてしまうことになる。その結果、衝撃によって窓枠部材１０８が基板１０２から脱落してしまうことが多かった。
【００１６】
一方、基板１０２が脆性材料から成る場合、窓枠部材１０８の突起部１１２が、窓枠開口部１０４の内壁１０６に没入すると、脆性材料から成る表示板では、窓枠開口部１０４の周囲にクラックが生じやすく、はなはだしい場合には、窓枠開口部１０４の周囲が破損損傷したり、欠けることがあり、その結果、表示板１００の美観が著しく損なわれることになっていた。
【００１７】
また、接着剤を用いて窓枠開口部と窓枠部材を接着固定する場合には、窓枠開口部と窓枠部材との接触面に接着剤が入り込みづらく、歩留まりが低下してしまっていた。
さらに、表示板の裏面に、表示板の裏面側からの反射光を拡散させることを目的として、拡散層を設けている場合には、接着剤が拡散層に入り込んでしまい、表示板表面から接着剤が見え、表示板の美観が著しく損なわれることになっていた。
【００１８】
本発明は、このような現状に鑑み、衝撃の負荷によって表示板そのものが弾性変形しても、窓枠部材が表示板より脱落せず、表示板に大きな力学的負荷をかけずに、窓枠部材を表示板に強固に固定でき、強度的にも優れ、しかも、美観が良好で、高級感を有した表示板、および表示板の製造方法、ならびにそのための固定治具を提供することを目的とする
。
【課題を解決するための手段】
【００１９】
本発明は、前述したような従来技術における課題および目的を達成するために発明されたものであって、本発明の表示板は、表示板に形成された窓枠開口部に、窓枠部材が配置された表示板であって、
前記窓枠部材が、窓枠開口部内に窓枠部材を支持する窓枠挿着支持部を備え、
前記窓枠挿着支持部の裏側に、係止片が突設され、
前記表示板の裏側に、窓枠開口部の裏面の周囲に係止用凹部または段部が形成され、
前記窓枠挿着支持部の係止片を折曲して、表示板の係止用凹部または段部に収容することによって、
前記窓枠部材を表示板の窓枠開口部に固定したことを特徴とする。
【００２０】
なお、本明細書中、「窓枠挿着支持部」とは、窓枠部材のうち表示板の窓枠開口部内に挿入され、窓枠開口部と接触する部分のことを意味する。
このように構成することによって、窓枠部材の窓枠挿着支持部を、表示板の窓枠開口部に挿通配置して、窓枠挿着支持部の係止片を折曲して、表示板の係止用凹部または段部に収容することによって、窓枠部材を表示板の窓枠開口部に、簡単にしかも強固に固定することができる。
【００２１】
従って、表示板を構成する基板が軟質材料から成る場合であっても、基板に負荷がかかることがないので、基板の窓枠部材の周囲に歪が生じたり、変色せず、塑性変形する場合もなく、表示板の美観が損なわれることもない。
【００２２】
また、表示板を構成する基板が脆性材料から成る場合であっても、基板に負荷がかかることがないので、基板の窓枠部材の周囲にクラックが生じたり、破損損傷することがなく、欠けることもなく、表示板の美観が損なわれることもない。
【００２３】
従って、衝撃の負荷によって基板そのものが弾性変形しても、窓枠部材が基板より脱落せず、基板に大きな力学的負荷をかけずに、窓枠部材を表示板に強固に固定でき、強度的にも優れ、しかも、美観が良好で、高級感を有した表示板を提供することができる。
【００２４】
また、本発明の表示板は、前記表示板の係止用凹部または段部の位置に対応して、表示板の窓枠開口部の内壁に膨出部収容用凹部が形成され、
前記窓枠挿着支持部の係止片を折曲して、表示板の係止用凹部または段部に収容した際に、窓枠挿着支持部、係止片の基端部の少なくともいずれかの膨出部分を収容するように構成されていることを特徴とする。
【００２５】
このように構成することによって、窓枠挿着支持部の係止片を折曲して、表示板の係止用凹部または段部に収容した際に、窓枠挿着支持部、係止片の基端部の少なくともいずれかの膨出部分が収容されることになるので、基板に負荷がかかることがないので、基板の窓枠部材の周囲に歪が生じたり、変色せず、塑性変形する場合もなく、また、クラックが生じたり、破損損傷することがなく、表示板の美観が損なわれることもない。
【００２６】
また、本発明の表示板は、前記係止片が、窓枠挿着支持部の裏側の窓枠開口部と接する部分に形成されていることを特徴とする。
このように構成することによって、係止片が、窓枠挿着支持部の裏側の窓枠開口部と接する部分に形成されているので、窓枠挿着支持部の係止片を折曲した際に、折曲した係止片の部分が、確実に表示板の係止用凹部または段部に収容され、窓枠部材を表示板の窓枠開口部に、簡単にしかも強固に固定することができる。
【００２７】
また、本発明の表示板は、前記係止片が、窓枠挿着支持部の裏側の窓枠開口部と接する部分より内側に形成されていることを特徴とする。
このように係止片が、窓枠挿着支持部の裏側の窓枠開口部と接する部分より内側に形成されているので、窓枠挿着支持部の係止片を折曲した際に、折曲した係止片の係止部分が、基板の窓枠開口部に接触することがなく、基板に負荷がかかることがないので、基板の窓枠部材の周囲に歪が生じたり、変色せず、塑性変形する場合もなく、また、クラックが生じたり、破損損傷することがなく、表示板の美観が損なわれることもない。
【００２８】
また、本発明の表示板は、前記係止片の基端部の厚さが、係止片の係止部分の厚さより薄く形成されていることを特徴とする。
また、本発明の表示板は、前記係止片の基端部に溝が形成されていることを特徴とする。
【００２９】
このように係止片の基端部の厚さが、例えば、溝などを形成することによって、薄く形成されていることによって、窓枠挿着支持部の係止片を折曲し易く、係止片自体に歪みが生じにくく、機械的強度が低下しないので、窓枠部材を表示板の窓枠開口部に強固に固定することができ、窓枠部材が表示板の窓枠開口部から脱落するのを防止することができる。
【００３０】
また、本発明の表示板は、前記係止片が、複数個形成されていることを特徴とする。
このように係止片が、複数個形成されているので、係止片により窓枠部材を係止する効果に優れており、窓枠部材を表示板の窓枠開口部に強固に固定することができ、窓枠部材が表示板の窓枠開口部から脱落するのを防止することができる。
【００３１】
また、本発明の表示板は、前記窓枠挿着支持部の裏側の窓枠開口部と接する部分に、窓枠固定剤を塗設する切欠部が形成されていることを特徴とする。
なお、本明細書中、「窓枠固定剤」とは、例えば、接着剤など窓枠部材と表示板の窓枠開口部とを接着固定するための物質を意味する。
【００３２】
このように構成することによって、窓枠開口部と窓枠部材とを接着剤などの窓枠固定剤を用いて接着固定する場合には、窓枠挿着支持部に形成された切欠部に接着剤などの窓枠固定剤を塗設することによって、窓枠開口部と窓枠部材との接着面に接着剤などの窓枠固定剤が流れ込みやすくなるため、表示板と窓枠部材とを強固に接着固定することが可能となる。
【００３３】
また、本発明の表示板は、前記切欠部が、前記窓枠挿着支持部の裏側の窓枠開口部と接する部分の少なくとも一部に形成されていることを特徴とする。
このように、窓枠挿着支持部の裏側の窓枠開口部と接する部分の少なくとも一部に切欠部が形成されていれば、この切欠部に接着剤などの窓枠固定剤を塗設することによって、窓枠固定剤が窓枠挿着支持部と窓枠開口部の接触面に窓枠固定剤が流れ込みやすくなるため、表示板と窓枠部材とを強固に接着固定することが可能となる。
【００３４】
また、この切欠部に窓枠固定剤を塗設することによって、窓枠固定剤が表示板の裏面に流れ込むことがないので、窓枠固定剤が表示板の表面から視認されることがなくなり、美観に優れた表示板とすることができる。
【００３５】
また、本発明の表示板は、前記窓枠開口部と窓枠部材とが、窓枠固定剤によって接着固定されていることを特徴とする。
このように、窓枠開口部と窓枠部材とを窓枠固定剤によって接着固定することによって
、表示板に窓枠部材を固定する際に負荷が加わることがないので、従来のように表示板に歪みや破損することがなくなり、美観が良好な表示板とすることができる。
【００３６】
さらに、窓枠部材の窓枠挿着支持部の裏側の窓枠開口部と接する部分には切欠部が形成されているため、この切欠部に窓枠固定剤を塗設することによって、窓枠開口部と窓枠部材との接触面に窓枠固定剤が流れ込みやすくなるため、表示板と窓枠部材とを強固に接着固定することが可能となる。
【００３７】
また、本発明の表示板は、前記表示板の裏面に拡散層が形成されていることを特徴とする。
また、本発明の表示板は、前記拡散層が、前記表示板の裏面に平行に形成されるプリズム溝であることを特徴とする。
【００３８】
このように、表示板の裏面に拡散層を形成することによって、表示板の裏面からの反射光を拡散層によって拡散することができるので、表示板の表面から表示板の裏面側を視認しづらくなるため、美観に優れた表示板とすることができるとともに、本発明の表示板を組み込んだ機器類全体としての美観も向上させることができる。
【００３９】
特に、表示板の下面側にソーラーセル（太陽電池）からなるソーラー発電装置を配置する場合、ソーラーセルからの反射光が拡散層を透過する時に光拡散が生じるので、ソーラーセルの濃紫色は殆ど消しさられて視認されなくなる。さらに、ソーラーセルからの反射光がこの拡散層によって拡散されたとき、その拡散された光の一部がソーラーセルに向かって放射され、再びソーラーセルに入射する。このため、光の利用効率が上がり効果的に発電に寄与することができる。
【００４０】
また、本発明の表示板は、前記窓枠挿着支持部が略矩形枠形状であり、窓枠挿着支持部の裏側の窓枠開口部と接する部分の少なくとも１組の対向辺に切欠部が形成されていることを特徴とする。
【００４１】
このように、窓枠挿着支持部が略矩形枠形状の場合、窓枠挿着支持部の裏側の窓枠開口部と接する部分の少なくとも１組の対向辺に切欠部が形成されていれば、この切欠部に窓枠固定剤を塗設することで、表示板と窓枠部材とを強固に接着固定することが可能となる。
【００４２】
また、本発明の表示板は、前記切欠部が、前記プリズム溝と略平行に形成されていることを特徴とする。
このように構成することによって、切欠部に接着剤などの窓枠固定剤を塗設した際に、窓枠固定剤が切欠部からはみ出て、表示板の裏面に形成されるプリズム溝に入り込んでしまった場合であっても、窓枠部材の窓枠挿着支持部に形成された切欠部と垂直に窓枠固定剤が流れることがないため、表示板表面から窓枠固定剤が見えにくくなるため、表示板の美観を著しく損なうことがない。
【００４３】
また、本発明の表示板は、前記窓枠部材が、金属材料からなることを特徴とする。
このように、窓枠部材を金属材料によって形成することによって、強度的に優れた窓枠部材とすることができるとともに、美観が良好で、使用者に高級感を与えることができる。
【００４４】
窓枠部材を構成する金属材料としては、特に限定されるものではないが、例えば、金、銀、銅、黄銅、アルミニウム、マグネシウム、亜鉛、チタン、またはこれらの合金などの金属材料を採用することができる、また、例えば、チタン合金、ステンレススチール、タ
ンタルカーバイドなどの合金が採用されてもよい。
【００４５】
また、本発明の表示板は、前記表示板が、透光性材料からなることを特徴とする。
このように、表示板を透光性材料によって形成することによって、ソーラーセル（太陽電池）からなるソーラー発電装置を備えたソーラー時計、ソーラー発電装置を使った卓上計算機などのソーラー機器類に用いられる場合であっても、ソーラー発電装置を駆動するために必要な光を透過させ、表示板の下面側に配置させるソーラー発電装置に受光させることができる。
【００４６】
また、表示板の厚さとしては、３０μｍ〜１０００μｍであるのが望ましく、厚さがこのような範囲にあれば、例えば、腕時計用の表示板として用いる場合に、時計を薄くするために、表示板の厚さを薄くしても機械的強度が低下することなく、加工することができる。また、表示板の厚さが厚すぎて、時計の針が揺動することなく、正確な時間を指示することができるとともに、時計自体の厚さをコンパクトにすることができる。
【００４７】
さらに、表示板の厚さがこのような範囲にあれば、例えば、ソーラー時計用表示板などのソーラー機器類の表示板として用いた場合にも、光透過率が低下することなく、発電に寄与することができ、機器類の駆動力などを確保することができるとともに、表示板の下方に配置されたソーラーセルの境界線である十字線や、濃紫色を消し去り、ソーラーセルの色調が視認されないようにすることができる。
【００４８】
また、表示板を構成する透光性材料としては、特に限定されるものではないが、例えば、軟質材料や脆性材料などを用いることができる。軟質材料としては、特に限定されるものではないが、例えば、合成樹脂、紙、布などを用いることができる。また、脆性材料としては、特に限定されるものではないが、例えば、七宝、ガラスなどのセラミック、白蝶貝などの貝などを用いることができる。
【００４９】
なお、表示板は、上記の軟質材料、脆性材料を平面的、または多層に組み合わせて形成したものであっても良い。
また、本発明の機器類は、上記のいずれかに記載の窓枠開口部を有する表示板を備えることを特徴とする。
【００５０】
また、本発明の機器類は、前記表示板の下面側にソーラー発電装置を備えることを特徴とする。
また、本発明の機器類は、前記表示板の下面側にアンテナを備えることを特徴とする。
【００５１】
また、本発明の機器類は、時計であることを特徴とする。
このように構成することによって、美観が良好で、高級感を有した機器類、例えば、時計、ソーラー時計、電波機能付きソーラー時計、卓上計算機、自動車、飛行機の計器パネル、携帯電話などの機器類を提供することができる。
【００５２】
また、本発明の表示板の製造方法は、表示板に形成された窓枠開口部に、窓枠部材が配置された表示板の製造方法であって、
前記窓枠挿着支持部の裏側に、係止片を突設形成する工程と、
前記窓枠部材の窓枠挿着支持部を、表示板の窓枠開口部に挿通配置する工程と、
前記窓枠挿着支持部の係止片を折曲して、表示板の係止用凹部または段部に収容することによって、窓枠部材を表示板の窓枠開口部に固定する工程と、
を備えることを特徴とする。
【００５３】
このように構成することによって、窓枠部材の窓枠挿着支持部を、表示板の窓枠開口部
に挿通配置して、窓枠挿着支持部の係止片を折曲して、表示板の係止用凹部または段部に収容することによって、窓枠部材を表示板の窓枠開口部に、簡単にしかも強固に固定することができる。
【００５４】
従って、表示板を構成する基板が軟質材料から成る場合であっても、基板に負荷がかかることがないので、基板の窓枠部材の周囲に歪が生じたり、変色せず、塑性変形する場合もなく、表示板の美観が損なわれることもない。
【００５５】
また、表示板を構成する基板が脆性材料から成る場合であっても、基板に負荷がかかることがないので、基板の窓枠部材の周囲にクラックが生じたり、破損損傷することがなく、欠けることもなく、表示板の美観が損なわれることもない。
【００５６】
従って、衝撃の負荷によって基板そのものが弾性変形しても、窓枠部材が基板より脱落せず、基板に大きな力学的負荷をかけずに、窓枠部材を表示板に強固に固定でき、強度的にも優れ、しかも、美観が良好で、高級感を有した表示板を提供することができる。
【００５７】
また、本発明の表示板の製造方法は、前記表示板の係止用凹部または段部の位置に対応して、表示板の窓枠開口部の内壁に、膨出部収容用凹部を形成する工程と、
前記窓枠挿着支持部の係止片を折曲して、表示板の係止用凹部または段部に収容する際に、窓枠挿着支持部、係止片の基端部の少なくともいずれかの膨出部分を収容することによって、窓枠部材を表示板の窓枠開口部に固定する工程と、
を備えることを特徴とする。
【００５８】
このように構成することによって、窓枠挿着支持部の係止片を折曲して、表示板の係止用凹部または段部に収容した際に、窓枠挿着支持部、係止片の基端部の少なくともいずれかの膨出部分が収容されることになるので、基板に負荷がかかることがないので、基板の窓枠部材の周囲に歪が生じたり、変色せず、塑性変形する場合もなく、また、クラックが生じたり、破損損傷することがなく、表示板の美観が損なわれることもない。
【００５９】
また、本発明の表示板の製造方法は、前記窓枠挿着支持部の係止片を折曲して、窓枠部材を表示板の窓枠開口部に固定する工程において、
窓枠部材を固定するとともに、表示板を移動可能な状態に保持した状態で、窓枠挿着支持部の係止片を折曲して、窓枠部材を表示板の窓枠開口部に固定することを特徴とする。
【００６０】
このように窓枠部材を固定するとともに、表示板を移動可能な状態に保持した状態で、窓枠挿着支持部の係止片を折曲して、窓枠部材を表示板の窓枠開口部に固定するようにすることによって、窓枠部材が固定の際に移動しないので、窓枠部材が斜めに歪んだ状態で表示板の窓枠開口部に固定されることがなく、所定の位置に窓枠部材を固定することができ、強度的にも優れ、しかも、美観が良好で、高級感を有した表示板を提供することができる。
【００６１】
また、本発明の表示板の製造方法は、前記窓枠挿着支持部の係止片を折曲して、窓枠部材を表示板の窓枠開口部に固定する工程において、
前記窓枠部材の窓開口部内に嵌合する突設部を備えた固定用治具を用いて、突設部を窓枠部材の窓開口部内に嵌合して、
前記窓枠部材を固定するとともに、表示板を移動可能な状態に保持した状態で、窓枠挿着支持部の係止片を折曲して、窓枠部材を表示板の窓枠開口部に固定することを特徴とする。
【００６２】
このように窓枠部材の窓開口部内に嵌合する突設部を備えた固定用治具を用いて、突設
部を窓枠部材の窓開口部内に嵌合することによって、窓枠部材を確実に所定の位置に固定することができる。
【００６３】
従って、窓枠部材が固定の際に移動しないので、窓枠部材が斜めに歪んだ状態で表示板の窓枠開口部に固定されることがなく、所定の位置に窓枠部材を固定することができ、強度的にも優れ、しかも、美観が良好で、高級感を有した表示板を提供することができる。
【００６４】
また、本発明の表示板の製造方法は、前記固定用治具に、前記窓枠挿着支持部の係止片を折曲するためのテーパー押圧面が形成されており、
前記固定用治具を、表示板の窓枠開口部に挿通配置された窓枠部材に向かって押圧することによって、窓枠挿着支持部の係止片を折曲して、窓枠部材を表示板の窓枠開口部に固定することを特徴とする。
【００６５】
このように固定用治具を、表示板の窓枠開口部に挿通配置された窓枠部材に向かって押圧することによって、固定用治具に形成されたテーパー押圧面によって、窓枠挿着支持部の係止片が確実に折曲されて、表示板の係止用凹部または段部に収容されて、窓枠部材を確実に所定の位置に固定することができる。
【００６６】
また、本発明の表示板の製造方法は、前記固定用治具に、表示板を位置決めする位置決め部材が形成されていることを特徴とする。
このように固定用治具に形成された位置決め部材によって、表示板が位置決めされているので、表示板の窓枠開口部の所定の位置に窓枠部材を固定することができ、強度的にも優れ、しかも、美観が良好で、高級感を有した表示板を提供することができる。
【００６７】
また、本発明の表示板の製造方法は、前記窓枠挿着支持部の裏側の窓枠開口部と接する部分に、窓枠固定剤を塗設する切欠部を形成する工程と、
前記切欠部に窓枠固定剤を塗設する工程と、
を備えることを特徴とする。
【００６８】
また、本発明の表示板の製造方法は、前記切欠部に窓枠固定剤をスクリーン印刷によって塗設することを特徴とする。
このように、窓枠開口部と窓枠部材とを窓枠固定剤によって接着固定することによって、表示板に窓枠部材を固定する際に負荷が加わることがないので、従来のように表示板に歪みや破損することがなくなり、美観が良好な表示板とすることができる。
【００６９】
さらに、窓枠部材の窓枠挿着支持部の裏側の窓枠開口部と接する部分の少なくとも一部には切欠部が形成されているため、この切欠部に窓枠固定剤を塗設することによって、窓枠開口部と窓枠部材との接触面に窓枠固定剤が流れ込みやすくなるため、表示板と窓枠部材とを強固に接着固定することができるとともに、表示板の裏面に窓枠固定剤が流れ込むことがないので、窓枠固定剤が表示板の表面から視認されることがなくなり、美観に優れた表示板とすることができる。
【００７０】
また、本発明の固定用治具は、前述のいずれかに記載の表示板の製造方法に用いる固定用治具であって、
前記窓枠部材の窓開口部内に嵌合する突設部を備えることを特徴とする。
【００７１】
このように構成することによって、窓枠部材の窓開口部内に嵌合する突設部を備えた固定用治具を用いて、突設部を窓枠部材の窓開口部内に嵌合することによって、窓枠部材を確実に所定の位置に固定することができる。
【００７２】
従って、窓枠部材が固定の際に移動しないので、窓枠部材が斜めに歪んだ状態で表示板の窓枠開口部に固定されることがなく、所定の位置に窓枠部材を固定することができ、強度的にも優れ、しかも、美観が良好で、高級感を有した表示板を提供することができる。
【００７３】
また、本発明の固定用治具は、前記窓枠挿着支持部の係止片を折曲するためのテーパー押圧面が形成されていることを特徴とする。
このように構成することによって、固定用治具を、表示板の窓枠開口部に挿通配置された窓枠部材に向かって押圧することによって、固定用治具に形成されたテーパー押圧面によって、窓枠挿着支持部の係止片が確実に折曲されて、表示板の係止用凹部または段部に収容されて、窓枠部材を確実に所定の位置に固定することができる。
【００７４】
また、本発明の固定用治具は、前記表示板を位置決めする位置決め部材が形成されていることを特徴とする。
このように固定用治具に形成された位置決め部材によって、表示板が位置決めされているので、表示板の窓枠開口部の所定の位置に窓枠部材を固定することができ、強度的にも優れ、しかも、美観が良好で、高級感を有した表示板を提供することができる。
【００７５】
また、本発明の固定用治具は、前記位置決め部材が、表示板の中心を位置決めする位置に配置されていることを特徴とする。
このように固定用治具に形成された位置決め部材によって、表示板の中心が位置決めされているので、表示板の窓枠開口部の所定の位置に窓枠部材を固定することができ、強度的にも優れ、しかも、美観が良好で、高級感を有した表示板を提供することができる。
【発明の効果】
【００７６】
本発明によれば、窓枠部材の窓枠挿着支持部を、表示板の窓枠開口部に挿通配置して、窓枠挿着支持部の係止片を折曲して、表示板の係止用凹部または段部に収容することによって、窓枠部材を表示板の窓枠開口部に、簡単にしかも強固に固定することができる。
【００７７】
また、本発明によれば、窓枠挿着支持部の係止片を折曲して、表示板の係止用凹部または段部に収容した際に、窓枠挿着支持部、係止片の基端部の少なくともいずれかの膨出部分が収容されることになる。
【００７８】
また、本発明によれば、窓枠部材の窓枠挿着支持部の裏側の窓枠開口部と接する部分の少なくとも一部に切欠部を形成しているため、切欠部に窓枠固定剤を塗設することによって、窓枠部材と窓枠開口部の接触面に窓枠固定剤が入り込むようになるので、窓枠部材と窓枠開口部との接着固定が容易に行えるとともに、強固に固定することができる。
【００７９】
従って、表示板を構成する基板が軟質材料から成る場合であっても、基板に負荷がかかることがないので、基板の窓枠部材の周囲に歪が生じたり、変色せず、塑性変形する場合もなく、表示板の美観が損なわれることもない。
【００８０】
また、表示板を構成する基板が脆性材料から成る場合であっても、基板に負荷がかかることがないので、基板の窓枠部材の周囲にクラックが生じたり、破損損傷することがなく、欠けることもなく、表示板の美観が損なわれることもない。
【００８１】
従って、衝撃の負荷によって基板そのものが弾性変形しても、窓枠部材が基板より脱落せず、基板に大きな力学的負荷をかけずに、窓枠部材を表示板に強固に固定でき、強度的にも優れ、しかも、美観が良好で、高級感を有した表示板を提供することができる。
【００８２】
さらに、表示板の裏面に、表示板の裏面側からの反射光を拡散させることを目的として
、拡散層を設けている場合であっても、切欠部に接着剤を塗設することによって、接着剤が拡散層に流れ込むことがないので、表示板表面から接着剤が見えることがなく、表示板の美観が損なわれることがない。
【発明を実施するための最良の形態】
【００８３】
以下、本発明の実施の形態（実施例）を図面に基づいてより詳細に説明する。
（実施例１）
図１は、本発明の表示板を、ソーラーセル（太陽電池）からなるソーラー発電装置を備えたソーラー腕時計に組み込んだ状態を説明する分解斜視図、図２は、図１を組み立てた状態の上面図、図３は、本発明の表示板に配置される窓枠部材の斜視図、図４は、本発明の表示板に配置される窓枠部材の別の実施例の斜視図である。
【００８４】
図１、図２において、符号１０は、全体で本発明の表示板を組み込んだ無線機能付きソーラー腕時計を示している。
なお、本発明で言う「無線機能付きソーラー時計」とは、ソーラーセル（太陽電池）からなるソーラー発電装置を備え、このソーラー発電装置が発電した電力によって駆動される時計であって、例えば、パソコン通信機能、携帯電話機能や非接触式ＩＣカード機能などの無線機能を備える時計、時刻情報を含む長波標準電波（搬送波）を受信し、その時刻情報に基づいて時刻を修正する無線機能を備えた電波時計、これらの無線機能のいずれかを組み合わせて構成した時計を含むものであり、その他の無線機能を含んでもよいことは勿論である。
【００８５】
また、本明細書中、「３時方向」、「６時方向」、「９時方向」、「１２時方向」とは、図２においてそれぞれ右方向、下方向、左方向、上方向を意味する。なお、窓枠部材に対して「３時方向」、「６時方向」、「９時方向」、「１２時方向」と表現した場合にも、図２に示すように、窓枠部材を表示板に組み込んだ状態において、それぞれ右方向、下方向、左方向、上方向を意味する。
【００８６】
また、「上下方向」とは、図１において、上下方向を意味する。従って、上面とは、腕時計を手首に装着した状態において、外方に露出する面であり、下面とは、同状態において手首と相対する面である。
【００８７】
また、「平面方向」とは、上下方向に直交する方向であって、図１において、紙面の手前側、紙面の奥側を意味するものであり、平面方向が、バンドの長手方向、または、バンドの幅方向と重複する場合もある。
【００８８】
図１に示したように、無線機能付きソーラー時計１０は、ハウジング１２を備えている。
このハウジング１２は、例えば、金属製、合成樹脂製、セラミック製の略円筒形状の枠体を構成する時計ケース１４と、時計ケース１４の下面開口部を覆うように密封状態で装着される、例えば、金属製、合成樹脂製、セラミック製の裏蓋１６と，この時計ケースの上面開口部を覆うように、密封状態で装着される風防（ガラス）１８とを備えている。
【００８９】
なお、ハウジング１２は、このように裏蓋１６を有する場合の他、裏蓋１６と時計ケース１４とが一体になった時計ケース１４である場合、裏蓋１６もガラスである場合など、様々な場合を含むものである。
【００９０】
このハウジング１２内には、時計駆動部を構成するムーブメント２０と、このムーブメント２０の上面に配置され、ムーブメント２０を光の起電力によって駆動するためのソーラー発電装置２２を備えている。
【００９１】
また、このソーラー発電装置２２の上面には、ソーラーセル２３の発電に寄与する波長の外光を、少なくともムーブメント２０の駆動に足るだけ透過させる透光機能を有する表示板２４を備えている。
【００９２】
さらに、このムーブメント２０の側部下方の小径部２０ａには、標準電波を受信するためのアンテナ２６が付設されている。
なお、この実施例では、アンテナ２６は、コアとなる棒状の磁芯部材と、この磁芯部材の外周に巻かれたコイルとより成るバーアンテナとして図示しているが、その他の構成のアンテナ部材から構成することも勿論可能である。
【００９３】
さらに、時計ケース１４は、外方に突出する２組のバンド取り付け部２８を備えており、これらのバンド取り付け部２８にはそれぞれ、互いに対向するように、一定間隔離間して配置され、時計ケース１４より延設された脚部３０を備えている。
【００９４】
そして、これらの脚部３０のそれぞれの間に、図示しない腕時計のバンドそれぞれが連結されるようになっている。
なお、ムーブメント２０より突出して、ソーラー発電装置２２と表示板２４とを貫通する針軸３１には、図示しない時針と分針とが配置される。これら時針と分針とは、表示板２４と風防１８との間に位置して時刻を表示するようになっている。
【００９５】
この表示板２４は、図１、図２に示したように、外部からの光を透過可能な透光性基板３２を有している。そして、この透光性基板３２には、例えば、曜日や日付などの指標を表示するカレンダー表示部３４を上部より視認できるように、この実施例では、取り付け用貫通孔として機能する略矩形状の窓枠開口部３６が形成されている。
【００９６】
また、透光性基板３２の窓枠開口部３６に、付加部材を構成する略矩形枠形状の金属製の窓枠部材３８が取り付けられている。この窓枠部材３８は、図３に示したように、略矩形枠形状のフランジ枠部３８ａと、このフランジ枠部３８ａよりも寸法が小さい下方に延設された中空角形状の窓枠挿着支持部３８ｂとを備えている。この窓枠挿着支持部３８ｂの外寸法は、透光性基板３２の窓枠開口部３６の内寸法と略同じか僅かに小さい寸法を有するように設定されている。
【００９７】
また、フランジ枠部３８ａの寸法は、透光性基板３２の窓枠開口部３６の内寸法より大きくなっており、これにより、窓枠部材３８の窓枠挿着支持部３８ｂが、透光性基板３２の窓枠開口部３６を貫通した際に、このフランジ枠部３８ａが、透光性基板３２の窓枠開口部３６の外周上面に係止されて、窓枠部材３８が下方に抜け落ちるのが防止されるようになっている。
【００９８】
なお、後述するように、窓枠部材３８の窓枠挿着支持部３８ｂの先端部３８ｃ（裏側）の外周３時方向および９時方向には、例えば、接着剤などの窓枠固定剤を塗設するための切欠部３８ｄが形成されている。
【００９９】
そして、この窓枠部材３８の窓枠挿着支持部３８ｂが、透光性基板３２の窓枠開口部３６を貫通して、例えば、接着剤などの窓枠固定剤によって固定されるようになっている。
また、窓枠部材３８はアンテナ２６の上部には配置されていないため、アンテナ２６が金属製の窓枠部材３８の影響を受けることなく電波を受信することができ、電波受信特性の低下要因とはならない。
【０１００】
さらに、図３に示したように、窓枠部材３８の窓枠挿着支持部３８ｂの先端部３８ｃに
は、６時方向および１２時方向に、それぞれ２つの一定間隔離間して、窓枠部材３８の裏面側に突設する係止片４２が形成されている。
【０１０１】
この係止片４２は、この実施例では、窓枠部材３８の窓枠挿着支持部３８ｂの先端部３８ｃの窓枠開口部３６と接する部分３８ｅに形成されている。
しかしながら、図示しないが、後述するように、窓枠挿着支持部３８ｂの係止片４２を折曲した際に、折曲した係止片４２の係止部分４２ａが、透光性基板３２の窓枠開口部３６に接触することがなく、透光性基板３２に負荷がかかることがないようにするためには、図３の矢印で示したように、係止片４２が、窓枠挿着支持部３８ｂの裏側の窓枠開口部３６と接する部分３８ｅより内側に形成されているのが望ましい。
【０１０２】
これにより、透光性基板３２の窓枠部材３８の周囲に歪が生じたり、変色せず、塑性変形する場合もなく、また、クラックが生じたり、破損損傷することがなく、表示板の美観が損なわれることもない。
【０１０３】
また、係止片４２は、その係止片４２の基端部に、溝４２ｂが形成されており、これにより、係止片４２の基端部の厚さが、薄く形成されている。
また、図４に示したように、このように係止片４２の基端部に、溝４２ｂを形成する代わりに、係止片４２全体の厚さを薄くしたり、図示しないが、特に、係止片４２の基端部の厚さを薄くすることもできる。
【０１０４】
この場合、図４に示したように、係止片４２の先端部に、内側に傾斜するテーパー面４５を形成するのが、後述する図１２、図１３に示したように、窓枠挿着支持部３８ｂの係止片４２を折曲して、係止部分４２ａを、透光性基板３２の係止用凹部または段部４４に収容した際に、固定用治具４８のテーパー押圧面５４に沿って、窓枠部材３８の窓枠挿着支持部３８ｂの係止片４２が折曲されるることによって、係止片４２の係止部分４２ａが、透光性基板３２の係止用凹部または段部４４に収容され易くするためには望ましい。
【０１０５】
このように係止片の基端部の厚さが、例えば、溝４２ｂなどを形成することによって、薄く形成されていることによって、窓枠挿着支持部３８ｂの係止片４２を折曲し易く、係止片自体に歪みが生じにくく、機械的強度が低下しないので、窓枠部材３８を透光性基板３２の窓枠開口部３６に強固に固定することができ、窓枠部材３８が透光性基板３２の窓枠開口部３６から脱落するのを防止することができる。
【０１０６】
一方、図５、図６に示したように、表示板を構成する透光性基板３２の裏側に、窓枠開口部３６の裏面の周囲に、係止片４２に対応する位置に、係止用凹部または段部４４が形成されている。
【０１０７】
これにより、後述するように、窓枠挿着支持部３８ｂの係止片４２を折曲して、表示板の係止用凹部または段部４４に収容することによって、窓枠部材３８を透光性基板３２の窓枠開口部３６に固定することができるように構成されている。
【０１０８】
さらに、図６（ａ）に示したように、透光性基板３２の係止用凹部または段部４４の位置に対応して、透光性基板３２の窓枠開口部３６の内壁３６ｆに、透光性基板３２の上下方向に、膨出部収容用凹部４６が形成されている。
【０１０９】
また、図６（ｂ）に示したように、透光性基板３２の係止用凹部または段部４４は、
透光性基板３２の裏面の窓枠開口部３６の周囲全体に形成することもできる。
さらに、図６（ｃ）に示したように、係止用凹部または段部４４のみを設けて、膨出部収容用凹部４６を省略することももちろん可能である。
【０１１０】
これにより、後述するように、図１２に示したように、窓枠挿着支持部３８ｂの係止片４２を折曲して、係止部分４２ａを、透光性基板３２の係止用凹部または段部４４に収容した際に、窓枠挿着支持部３８ｂ、係止片の基端部の少なくともいずれかの膨出部分５６を収容するように構成されている。
【０１１１】
図１に示したように、ソーラー発電装置２２は、非発電領域であるリング状の外縁部と、ムーブメント２０の針軸３１を囲むように形成された小径の非発電領域であるリング状の中央部とを備えている。また、これらの外縁部と中央部とを連結するように形成された十字線を形成する非発電領域を構成する４つの分割部を備えている。
【０１１２】
そして、これらの分割部に囲まれた部分に、４つの扇形状のソーラーセルが形成されている。
なお、これらの分割部のうち、上記の透光性基板３２の窓枠開口部３６に対応する位置には、窓枠開口部２２ａが形成されており、この窓枠開口部２２ａの下方のムーブメント２０に、カレンダー表示部３４が回転可能に組み込まれている。
【０１１３】
この場合、窓枠開口部３６を有する透光性基板３２を備えた表示板２４は、軟質材料、あるいは脆性材料より成る透光性基板から構成されているのが、例えば、ソーラーセル（太陽電池）からなるソーラー発電装置を備えたソーラー時計、ソーラー発電装置を使った卓上計算機などのソーラーセル機器類に用いられ、ソーラー発電装置の上方に配置される表示板として用いる場合には、受光した光を透過させて、その下面側に配設したソーラー発電装置の発電機能を起こさせるためには望ましい。
【０１１４】
また、表示板２４を構成する透光性基板３２の厚さとしては、３０μｍ〜１０００μｍであるのが望ましく、厚さがこのような範囲にあれば、例えば、腕時計用の表示板として用いる場合に、時計を薄くするために、透光性基板３２の厚さを薄くしても機械的強度が低下することなく、加工することができる。また、透光性基板３２の厚さが厚すぎて、時計の針が揺動することなく、正確な時間を指示することができるとともに、時計自体の厚さをコンパクトにすることができる。
【０１１５】
さらに、透光性基板３２の厚さがこのような範囲にあれば、例えば、ソーラー時計用表示板などのソーラー機器類の表示板として用いた場合にも、光透過率が低下することなく、発電に寄与する波長の光を透過することができ、機器類の駆動力などを確保することができるとともに、表示板２４の下方に配置されたソーラーセルの境界線である十字線や、濃紫色を消し去り、ソーラーセルの色調が視認されないようにすることができる。
【０１１６】
なお、透光性基板３２は、上記の軟質材料、脆性材料を平面的、または多層に組み合わせて形成したものであっても良い。
さらに、透光性基板３２を構成する軟質材料としては、特に限定されるものではないが、例えば、合成樹脂、紙、布などを用いることができる。また、透光性基板３２を構成する脆性材料としては、特に限定されるものではないが、例えば、七宝、ガラスなどのセラミック、白蝶貝などの貝などを用いることができる。
【０１１７】
一方、窓枠部材３８を構成する材料としては、例えば、金、銀、銅、黄銅、アルミニウム、マグネシウム、亜鉛、チタン、またはこれらの合金などの金属材料が採用される。また、例えば、チタン合金、ステンレススチール、タンタルカーバイドなどの合金が採用されてもよい。
【０１１８】
以下に、このように構成される表示板２４を組み立てる工程について、図５〜図１５に
基づいて説明する。
図５は、透光性基板３２を裏面から見た斜視図、図６は、透光性基板３２を裏面から見た図５の部分拡大斜視図、図７（ａ）は、窓枠部材３８を１２時方向または６時方向から見た場合の正面図、図７（ｂ）は、図７（ａ）のＡ方向から見た部分拡大図、図８は、窓枠部材３８を透光性基板３２に取り付ける状態を説明する斜視図、図９は、窓枠部材３８を透光性基板３２の窓枠開口部３６に挿通配置した状態を説明する部分拡大断面図、図１０は、窓枠部材３８を透光性基板３２に取り付ける状態を説明する断面図、図１１は、固定用治具４８の斜視図、図１２は、窓枠部材３８を透光性基板３２に取り付ける状態を説明する断面図、図１３は、図１２の部分拡大断面図、図１４は、窓枠部材３８を透光性基板３２に取り付けた状態で表示板の裏面側から見た場合の部分拡大図、図１５は、窓枠部材３８を透光性基板３２の窓枠開口部３６に挿通配置した状態で、切欠部３８ｄに窓枠固定剤４０を塗設した状態を説明する部分拡大断面図である。
【０１１９】
まず、図７（ａ）に示したように、窓枠部材３８の窓枠挿着支持部３８ｂの先端部３８ｃの外周３時方向および９時方向の角を略４５度の角度で面取りし切欠部３８ｄを形成する。
【０１２０】
また、図７（ｂ）に示したように、窓枠部材３８の窓枠挿着支持部３８ｂの先端部３８ｃに、６時方向および１２時方向に、それぞれ２つの一定間隔離間して、窓枠部材３８の裏面側に突設する係止片４２を形成する。
【０１２１】
一方、図５、図６に示したように、表示板を構成する透光性基板３２の裏側に、窓枠開口部３６の裏面の周囲に、係止片４２に対応する位置に、係止用凹部または段部４４を形成するとともに、透光性基板３２の係止用凹部または段部４４の位置に対応して、透光性基板３２の窓枠開口部３６の内壁３６ｆに、透光性基板３２の上下方向に、膨出部収容用凹部４６を形成する。
【０１２２】
このように膨出部収容用凹部４６を設けることによって、表示板に窓枠部材３８を固定した際に、透光性基板３２に歪みなどが発生せずに固定することができる。このため、表示板の材質、仕様などに制限がなくなり、デザインのバリエーションも拡大することになる。
【０１２３】
そして、図８の矢印で示したように、窓枠部材３８の窓枠挿着支持部３８ｂを、取り付け用貫通孔を構成する透光性基板３２の窓枠開口部３６を貫通するように挿通する。
この状態では、図９に示したように、窓枠部材３８のフランジ枠部３８ａが、透光性基板３２の窓枠開口部３６の外周上面に係止されて、窓枠部材３８が下方に抜け落ちるのが防止されるようになっている。
【０１２４】
なお、この実施例の場合には、６時方向および１２時方向に、それぞれ２つの一定間隔離間して、窓枠部材３８の裏面側に突設する係止片４２を形成したが、この係止片４２の形成位置、個数などは、特に限定されるものではなく、例えば、３時方向および９時方向に設けたり、例えば、窓枠挿着支持部３８ｂの先端部３８ｃの外周全体にわたって形成することも可能である。
【０１２５】
従って、この係止片４２の配置に対応して、透光性基板３２の係止用凹部または段部４４、膨出部収容用凹部４６を形成すれば良い。
また、この実施例では、窓枠挿着支持部３８ｂの先端部３８ｃの外周３時方向および９時方向の角を面取りすることによって切欠部３８ｄを形成しているが、これに限定されるものではなく、図示しないが、例えば、窓枠挿着支持部３８ｂの先端部３８ｃの外周全体の角を面取りすることによって切欠部を形成しても良く、また、６時方向および１２時方
向にのみに形成することも、さらには、これらの方向に部分的に形成することも可能である。
【０１２６】
次に、図１０に示したように、透光性基板３２の下面（裏面）側から、固定用治具４８を用いて、固定用治具４８に形成された突設部５０を、窓枠部材３８の窓開口部３８ｇ内に嵌合させる。
【０１２７】
また、この状態では、図１１に示したように、固定用治具４８の中央部分に突出するように形成した位置決め部材５２が、透光性基板３２の中心に形成された針軸３１が挿通される軸孔３２ａに嵌合して、透光性基板３２の位置決めがなされるようになっている。
【０１２８】
従って、この状態では、窓枠部材３８が、固定用治具４８に形成された突設部５０によって固定された状態であって、透光性基板３２の位置決めがなされた状態で、透光性基板３２が僅かに移動可能な状態に保持した状態となっている。
【０１２９】
また、固定用治具４８には、窓枠部材３８の裏面側に突設する係止片４２に対応した位置に、テーパー押圧面５４が形成されている。なお、このテーパー押圧面５４は、図１０〜図１３に示したように、下方に外側に向かって傾斜するように形成されており、水平面となす角度αとしては、係止片４２の折曲効果を考慮すれば、５°〜１５°の角度が望ましく、好ましくは、１０°の角度とするのが望ましい。
【０１３０】
この状態で、図１０の矢印に示したように、固定用治具４８を、透光性基板３２の窓枠開口部３６に挿通配置された窓枠部材３８に向かって押圧する。
これによって、図１２、図１３に示したように、固定用治具４８のテーパー押圧面５４に沿って、窓枠部材３８の窓枠挿着支持部３８ｂの係止片４２が折曲されるることによって、係止片４２の係止部分４２ａが、透光性基板３２の係止用凹部または段部４４に収容される。
【０１３１】
これにより、窓枠部材３８を透光性基板３２の窓枠開口部３６に固定することができるように構成されている。
この際、図１３に示したように、透光性基板３２の係止用凹部または段部４４の位置に対応して、透光性基板３２の窓枠開口部３６の内壁３６ｆに、透光性基板３２の上下方向に、膨出部収容用凹部４６が形成されているので、図１３に示したように、窓枠挿着支持部３８ｂの係止片４２を折曲して、表示板の係止用凹部または段部４４に収容した際に、窓枠挿着支持部３８ｂ、係止片の基端部の少なくともいずれかの膨出部分５６を収容するように構成されている。
【０１３２】
なお、図１３では、便宜上、窓枠挿着支持部３８ｂに膨出部分５６が形成されている場合を示している。
このように構成することによって、窓枠部材３８の窓枠挿着支持部３８ｂを、透光性基板３２の窓枠開口部３６に挿通配置して、窓枠挿着支持部３８ｂの係止片４２を折曲して、透光性基板３２の係止用凹部または段部４４に収容することによって、窓枠部材３８を表示板の窓枠開口部３６に、簡単にしかも強固に固定することができる。
【０１３３】
従って、表示板を構成する基板が軟質材料から成る場合であっても、基板に負荷がかかることがないので、基板の窓枠部材の周囲に歪が生じたり、変色せず、塑性変形する場合もなく、表示板の美観が損なわれることもない。
【０１３４】
また、表示板を構成する基板が脆性材料から成る場合であっても、基板に負荷がかかることがないので、基板の窓枠部材３８の周囲にクラックが生じたり、破損損傷することが
なく、欠けることもなく、表示板の美観が損なわれることもない。
【０１３５】
従って、衝撃の負荷によって基板そのものが弾性変形しても、窓枠部材３８が基板より脱落せず、基板に大きな力学的負荷をかけずに、窓枠部材３８を表示板に強固に固定でき、強度的にも優れ、しかも、美観が良好で、高級感を有した表示板を提供することができる。
【０１３６】
また、窓枠挿着支持部３８ｂの係止片４２を折曲して、表示板の係止用凹部または段部４４に収容した際に、窓枠挿着支持部３８ｂ、係止片４２の基端部の少なくともいずれかの膨出部分５６が収容されることになるので、基板に負荷がかかることがないので、基板の窓枠部材３８の周囲に歪が生じたり、変色せず、塑性変形する場合もなく、また、クラックが生じたり、破損損傷することがなく、表示板の美観が損なわれることもない。
【０１３７】
さらに、このように窓枠部材３８を固定するとともに、表示板を移動可能な状態に保持した状態で、窓枠挿着支持部３８ｂの係止片４２を折曲して、窓枠部材３８を表示板の窓枠開口部３６に固定するようにすることによって、窓枠部材３８が固定の際に移動しないので、窓枠部材３８が斜めに歪んだ状態で表示板の窓枠開口部３６に固定されることがなく、所定の位置に窓枠部材３８を固定することができ、強度的にも優れ、しかも、美観が良好で、高級感を有した表示板を提供することができる。
【０１３８】
また、このように窓枠部材３８の窓開口部３８ｇ内に嵌合する突設部５０を備えた固定用治具４８を用いて、突設部５０を窓枠部材３８の窓開口部３８ｇ内に嵌合することによって、窓枠部材３８を確実に所定の位置に固定することができる。
【０１３９】
従って、窓枠部材３８が固定の際に移動しないので、窓枠部材３８が斜めに歪んだ状態で表示板の窓枠開口部３６に固定されることがなく、所定の位置に窓枠部材３８を固定することができ、強度的にも優れ、しかも、美観が良好で、高級感を有した表示板を提供することができる。
【０１４０】
さらに、このように固定用治具４８を、表示板の窓枠開口部３６に挿通配置された窓枠部材３８に向かって押圧することによって、固定用治具４８に形成されたテーパー押圧面５４によって、窓枠挿着支持部３８ｂの係止片４２が確実に折曲されて、表示板の係止用凹部または段部４４に収容されて、窓枠部材３８を確実に所定の位置に固定することができる。
【０１４１】
また、このように固定用治具４８に形成された位置決め部材５２によって、表示板が位置決めされているので、表示板の窓枠開口部３６の所定の位置に窓枠部材３８を固定することができ、強度的にも優れ、しかも、美観が良好で、高級感を有した表示板を提供することができる。
【０１４２】
このように、表示板の窓枠開口部３６の所定の位置に窓枠部材３８を固定した後、ついで、図１４、図１５に示したように、窓枠部材３８の窓枠挿着支持部３８ｂに形成された切欠部３８ｄにスクリーン印刷によって、例えば、接着剤などの窓枠固定剤４０を塗設する。そして、窓枠固定剤４０の硬化温度まで加熱することにより窓枠固定剤４０を硬化させ、窓枠部材３８と透光性基板３２を接着固定する。
【０１４３】
なお、この実施例では、窓枠固定剤４０として加熱することによって硬化する接着剤を用いているが、これに限られるものではなく、例えば、水分を蒸発させることによって硬化する接着剤やレーザーを照射することによって硬化する接着剤、空気が遮断されることによって硬化する嫌気性接着剤、紫外線を照射することによって硬化する紫外線硬化型接
着剤などを利用することができる。
【０１４４】
このように、切欠部３８ｄに接着剤などの窓枠固定剤４０を塗設すると、窓枠部材３８と窓枠開口部３６の接触面に窓枠固定剤４０が入り込みやすくなり、強固にしかも簡単に窓枠部材３８と透光性基板３２を接着固定することができる。
【０１４５】
このように構成することによって、窓枠部材３８の窓枠挿着支持部３８ｂに形成された切欠部３８ｄに窓枠固定剤４０を塗設して加熱するだけで、透光性基板３２と窓枠部材３８とを簡単にしかも強固に固定することができる。
【０１４６】
なお、この実施例では、図１４に示したように、接着剤などの窓枠固定剤４０を塗設する場合に、窓枠部材３８の４つの隅角部において、窓枠固定剤４０を、切欠部３８ｄを形成していない部分３８ｆにも塗設している。これによって、窓枠部材３８の４つの隅角部において、窓枠固定剤４０窓枠部材３８と窓枠開口部３６の接触面に窓枠固定剤４０が入り込みやすくなり、より強固に窓枠部材３８と透光性基板３２を接着固定することができるようになっている。
（実施例２）
図１６は、本発明の別の実施例の表示板に窓枠部材を固定して組み立てた状態の図１５と同様な部分拡大断面図である。
【０１４７】
この実施例の表示板２４は、図１〜図１０に示した表示板２４と基本的には同様な構成であり、同一の部材には、同一の参照番号を付して、その詳細な説明を省略する。
この実施例の表示板２４では、図１６に示したように、表示板２４を構成する透光性基板３２の裏面に拡散層３３が形成されている。このように、拡散層３３を設けたことによって、ソーラーセル２３からの反射光が拡散層３３を透過する時に光拡散が生じるので、ソーラーセル２３の濃紫色は殆ど消しさられて視認されなくなる。また、ソーラーセル２３の反射光がこの拡散層３３によって拡散されたとき、その拡散された光の一部がソーラーセル２３に向かって放射され、再びソーラーセル２３に入射する。このため、光の利用効率が上がり効果的に発電に寄与することができる。
【０１４８】
なお、この実施例においても、接着剤などの窓枠固定剤４０は、窓枠部材３８の窓枠挿着支持部３８ｂに形成された切欠部３８ｄに塗設するので、拡散層３３に窓枠固定剤４０が流れ込むことはない。このため、拡散層３３に窓枠固定剤４０が流れ込み、表示板２４の表面から窓枠固定剤４０が見えてしまうことがないので、美観が良好な表示板を提供することができる。
【０１４９】
なお、上記実施例では、窓枠部材３８の窓開口部３８ｇが２つ設けられた実施例を示したが、この窓開口部３８ｇの数、形状、大きさ、配置位置は特に限定されるものではなく、単独の窓開口部３８ｇであっても、また、３個以上の窓開口部３８ｇを有する窓枠部材３８であってもよい。
【０１５０】
以上、本発明の好ましい実施の態様を説明してきたが、本発明はこれに限定されることはなく、例えば、上記実施例では、本発明の表示板を、ソーラーセル（太陽電池）からなるソーラー発電装置を備えた無線機能付きソーラー腕時計に適用したが、ソーラー発電装置を使った卓上計算機などのソーラーセル機器類に用いることもできる
さらには、ソーラーセル機器類以外にも、例えば、時計用の表示板、卓上計算機、自動車、飛行機の計器パネル、携帯電話などのモバイル機器などの機器類の表示板としても用いることも可能であり、この場合には、表示板２４を構成する基板は、透過性の基板でなくてもよいなど本発明の目的を逸脱しない範囲で種々の変更が可能である。
【図面の簡単な説明】
【０１５１】
【図１】図１は、本発明の表示板を、ソーラーセル（太陽電池）からなるソーラー発電装置を備えたソーラー腕時計に組み込んだ状態を説明する分解斜視図である。
【図２】図２は、図１を組み立てた状態の上面図である。
【図３】図３は、本発明の表示板に配置される窓枠部材の斜視図である。
【図４】図４は、本発明の表示板に配置される窓枠部材の斜視図である。
【図５】図５は、透光性基板３２を裏面から見た斜視図である。
【図６】図６は、透光性基板３２を裏面から見た図５の部分拡大斜視図である。
【図７】図７（ａ）は、窓枠部材３８を１２時方向または６時方向から見た場合の正面図、図７（ｂ）は、図７（ａ）のＡ方向から見た部分拡大図である。
【図８】図８は、窓枠部材３８を透光性基板３２に取り付ける状態を説明する斜視図である。
【図９】図９は、窓枠部材３８を透光性基板３２の窓枠開口部３６に挿通配置した状態を説明する部分拡大断面図である。
【図１０】図１０は、窓枠部材３８を透光性基板３２に取り付ける状態を説明する断面図である。
【図１１】図１１は、固定用治具４８の斜視図である。
【図１２】図１２は、窓枠部材３８を透光性基板３２に取り付ける状態を説明する断面図である。
【図１３】図１３は、図１２の部分拡大断面図である。
【図１４】図１４は、窓枠部材３８を透光性基板３２に取り付けた状態で表示板の裏面側から見た場合の部分拡大図である。
【図１５】図１５は、窓枠部材３８を透光性基板３２の窓枠開口部３６に挿通配置した状態で、切欠部３８ｄに窓枠固定剤４０を塗設した状態を説明する部分拡大断面図である。
【図１６】図１６は、本発明の別の実施例の表示板に窓枠部材を固定して組み立てた状態の図１５と同様な部分拡大断面図である。
【図１７】図１７は、従来の表示板の上面図である。
【図１８】図１８は、図１７のＡ−Ａ線での部分拡大断面図である。
【図１９】図１９は、図１７の窓枠部材１０８の斜視図である。
【符号の説明】
【０１５２】
１０   ソーラー時計
１２   ハウジング
１４   時計ケース
１６   裏蓋
１８   風防
２０   ムーブメント
２０ａ 小径部
２２   ソーラー発電装置
２２ａ 窓枠開口部
２３   ソーラーセル
２４   表示板
２６   アンテナ
２８   バンド取り付け部
３０   脚部
３１   針軸
３２ａ 軸孔
３２   透光性基板
３３   拡散層
３４   カレンダー表示部
３６   窓枠開口部
３６ｆ 内壁
３８   窓枠部材
３８ａ フランジ枠部位置決め部材
３８ｂ 窓枠挿着支持部
３８ｃ 先端部
３８ｄ 切欠部
３８ｅ 部分
３８ｆ 部分
３８ｇ 窓開口部
４０   窓枠固定剤
４２   係止片
４２ａ 係止部分
４２ｂ 溝
４４   係止用凹部または段部
４６   膨出部収容用凹部
４８   固定用治具
５０   突設部
５２   位置決め部材
５４   テーパー押圧面
５６   膨出部分
１００ 表示板
１０１ 飾り縁
１０２ 基板
１０３ 貫通窓
１０４ 窓枠開口部
１０６ 内壁
１０８ 窓枠部材
１１０ 枠本体部
１１０ 貫通部
１１２ 突起部
【図１】
0005089279.tif 000002
【図２】
0005089279.tif 000003
【図３】
0005089279.tif 000004
【図４】
0005089279.tif 000005
【図５】
0005089279.tif 000006
【図６】
0005089279.tif 000007
【図７】
0005089279.tif 000008
【図８】
0005089279.tif 000009
【図９】
0005089279.tif 000010
【図１０】
0005089279.tif 000011
【図１１】
0005089279.tif 000012
【図１２】
0005089279.tif 000013
【図１３】
0005089279.tif 000014
【図１４】
0005089279.tif 000015
【図１５】
0005089279.tif 000016
【図１６】
0005089279.tif 000017
【図１７】
0005089279.tif 000018
【図１８】
0005089279.tif 000019
【図１９】
0005089279.tif 000020